(57)【要約】【課題】製作時間を短縮し、安価に提供することのできる高級で品格のある焼酎用の酒器を得る。【解決手段】容器１は、上半部１Ａと下半部１Ｂが緩やかな円弧面を有する浅皿状に形成され、上部に開口部１ａを設けて蓋２を被せ、底部には球脚３，…を設けてなり、該容器の上半部１Ａの外周一端に注ぎ口４を設けると共に、蓋２を跨いで取手５を設けた彫金製酒器である。注ぎ口４は角中空体にして先細くテーパー状に形成し、取手５は略垂直に立てた状態と、横水平より僅か上方に倒した状態でストップされるようにすると共に、酒器の金属面は槌目の彫金加を施し、金彩、銀彩、銀いぶし等の色彩を付ける。【選択図】図１
0003116928.tif 000002
【実用新案登録請求の範囲】
【請求項１】
上半部と下半部を緩やかな円弧面を有する浅皿状に形成し、上部に開口部を設けて蓋を被せ、底部に球脚を設けた容器にして、該容器の上半分外周の一端に注ぎ口を設けると共に、蓋を跨いで取手を略水平方向に横倒し可能にして設けてなることを特徴とする彫金製酒器。
【請求項２】
注ぎ口が、角中空体にしてテーパー状に先細く形成されてなることを特徴とする請求項１記載の彫金製酒器。
【請求項３】
取手が、略垂直に立てた状態と、横水平より僅か斜め上方に倒した状態でストップされるようにして設けてなることを特徴とする請求項１又は請求項２記載の彫金製酒器。
【請求項４】
酒器の材質が、純銅であることを特徴とする請求項１乃至請求項３のいずれか１項に記載の彫金製酒器。
【請求項５】
表面に槌目の彫金加工が施されてなることを特徴とする請求項１乃至請求項４のいずれか１項に記載の彫金製酒器。
【考案の詳細な説明】
【技術分野】
【０００１】
本考案は、機械加工と彫金の技を融合させて製作された彫金製酒器に関するものである。
【背景技術】
【０００２】
鹿児島は、さつま芋を主原料とする焼酎の産地であり、焼酎を水で割って熱め、おちょこに注ぐため、黒ちょかとして陶器製の酒器が使われ、周知されている。
又、こつ酒用の徳利として、上部が広く開口し、注ぎ口を設けた浅皿状の徳利本利本体に、取手及び開口部を覆う蓋を設けた徳利が開示されている。（例えば、特許文献１参照）。
【０００３】
【特許文献１】特開２０００−１２６０３１号公報
【考案の開示】
【考案が解決しようとする課題】
【０００４】
しかしながら、上記陶器製の酒器は、製作するのに多くの時間を要し、高価であることや、製作過程で収縮、変形して製品が不均一になったり、割れやすいといった問題があり、上記特許文献１に記載される徳利は、焼いた魚や魚の骨を入れ、熱燗を注いで蓋を閉め、おちょこに注いで飲むのに供されるものであり、形状が一定せず、品格もなく、伝統ある焼酎用の酒器としては馴染み難い問題がある。
【課題を解決するための手段】
【０００５】
本考案は、上記問題（課題）に鑑みてなされたものであり、その解決するための手段は、上半部と下半部を緩やかな円弧面を有する浅皿状に形成し、上部に開口部を設けて蓋を被せ、底部に球脚を設けた容器にして、該容器の上半部外周の一端に注ぎ口を設けると共に、蓋を跨いで取手を略水平方向に横倒し可能にして設けてなることを特徴とする彫金製酒器である。彫金製酒器の材質は、主として純銅である。
【０００６】
前記注ぎ口は、角中空体にしてテーパー状に先細く形成されてなることを特徴とし、前記取手は、略垂直に立てた状態と、横水平より僅か斜め上方に倒した状態でストップされるようにして設けてなることを特徴とする。又、酒器の表面は槌目の彫金加工が施されてなることを特徴とするものである。
【考案の効果】
【０００７】
上記手段にて記載するように、本考案は彫金製の酒器であるから、機械加工と彫金の技を融合させた製作により製作時間が短縮され、製作過程で収縮や変形することなく均一な製品が安価に提供できると共に、陶器製に較べ割れるおそれがない。
【０００８】
又、注ぎ口を角中空体にしてテーパー状に先細く形成されることにより、おちょこ等に注ぎやすくなり、取手を略垂直に立てた状態と、水平方向より僅か斜め方向に倒した状態でストップされるようにすれば、焼酎を熱燗にして注ぐ場合熱伝導が緩和されると共に、握りやすい。
【０００９】
更に、表面に槌目の彫金加工を施すことにより、品格や高級感を醸し出させるのに効果を奏する。
【考案を実施するための最良の形態】
【００１０】
本考案を実施するための最良の形態は、上半部と下半部を緩やかな円弧面を有する浅皿状に形成し、上部に開口部を設けて蓋を被せ、底部に球脚を設けた容器にして、該容器の上半分外周の一端に注ぎ口を設けると共に、蓋を跨いで取手を略水平方向に横倒し可能にして設けてなることを特徴とする彫金製酒器である。以下実施例にて実施例を示す図面に基づき説明する。
【実施例１】
【００１１】
図１は、本考案の実施例を示す側断面図であり、図示するように容器１は、上半部１Ａと下半部１Ｂが緩やかな円弧面を有する浅皿状に形成され、上部に開口部１ａを設けて蓋２を被せ、底部に球脚３，…設けた容器であり、該容器の上半分外周の一端に注ぎ口４を設けると共に、蓋２を跨いで取手５を設け、該取手５は両端部が軸６，６で軸支されて略水平方向に横倒し可能としてあり、表面は図２に示すように金槌で叩いたような槌目７，…の彫金加工が施されている。
【００１２】
前記容器１の製作は、上半部１Ａと下半部１Ｂをプレス機械等で緩やかな円弧面を有する浅皿状に形成して口合わせし、合せ部１ｂを電器溶接等で接合して一体化したものであり、上部には立上りを設けて開口部１ａを設け、底部には複数の球脚３，…を銀ロウ付け等により付着し、前記開口部１ａには、つまみ２ａを付けた蓋２を着脱自在にして被せてある。
【００１３】
又、前記容器１の上半分外周の一端に設けられた注ぎ口４は、四角の中空体（或いは三角の中空体もあり得る）にしてテーパー状に先細く形成されたもので、根元部を容器の上半部１Ａの外周一端に穴を穿設して銀ロウ付け等で付着してあり、取手５は、開口部１ａの両サイドに支持ブラケット８，８を立てて取手５の両端部が軸６，６で回動可能に支持されて、蓋２を跨ぐようにして設けられている。
【００１４】
そして、前記取手５は、図３に示すように略垂直に立てた状態では支持ブラケット８の上側端８ａストップされ、図４に示すように横水平より僅か斜め上方に倒した状態では支持ブラケット８の切欠端８ｂでストップされるようにして、熱燗の場合の容器の熱が伝わりにくくすると共に、取手５を指で起す時に指が容器面に接触しないように取手を倒した時には容器との間にスペースが確保されるようにする。熱伝導の良い金属の場合、取手５が熱くなりやすく、その場合は熱伝導のしにくいものを取手に巻き付けても良い。
【００１５】
以上のようにしてなる本考案の材質は、純銅を主として使用するが、彫金加工に適した金属であればこれに限定するものではない。又、表面に槌目の彫金加工を施した後、金彩、銀彩、銀いぶしの三色に仕上げるがこれに限定されるものではない。
【００１６】
なお、本考案の実施例では、注ぐ方の彫金製酒器について実施例図に基づき説明したが、注がれる方のおちょこ（図示せず）も酒器とセットになっており、該おちょこも前記彫金製酒器に合わせた彫金加工可能な金属製とし、色彩も彫金製酒器に合わせる。
【産業上の利用可能性】
【００１７】
本考案は、焼酎を注ぐ酒器のみならず、お茶を注ぐ急須等にも利用の可能性があり、高級で品格のある割れない急須として差別化を図るのに好適となり得る。
【図面の簡単な説明】
【００１８】
【図１】本考案に係る彫金製酒器の実施例を示す側断面図である。
【図２】注ぎ口部の要部斜視図である。
【図３】取手を略垂直に立てた状態を示す要部断面図である。
【図４】取手を横水平より僅か斜め上方に倒した状態を示す要部断面図である。
【符号の説明】
【００１９】
１  容器
１Ａ  上半部
１Ｂ  下半部
１ａ  開口部
１ｂ  合せ部
２  蓋
２ａ  つまみ
３  球脚
４  注ぎ口
５  取手
６  軸
７  槌目
８  支持ブラケット
８ａ  上側端
８ｂ  切欠端
【図１】
0003116928.tif 000003
【図２】
0003116928.tif 000004
【図３】
0003116928.tif 000005
【図４】
0003116928.tif 000006